(57)【特許請求の範囲】
【請求項１】
内容物を挟入する一対の胴材の周囲が接合されたヒートシールによって前記内容物を収容する収容部を形成し、前記ヒートシールの一部に開封用のノッチを設けた包装容器において、
前記胴材の一方であって、前記ヒートシールの一部に設けた未ヒートシール部分を前記ノッチとし、
前記胴材は、前記ノッチの形成部分と、前記ノッチを起点にして前記胴材が引き裂かれることで前記内容物の注出口が形成される注出部とを内側にし、折曲線を介して折曲させた折曲部分を備え、かつ前記折曲部分には係止手段を設け、前記包装容器の未開封時に外側から前記ノッチと、前記注出部とを視認できなくするとともに開封時には前記折曲部分を展延して前記ノッチと、前記注出部とを露出させるようにした折曲手段を備えたことを特徴とする包装容器。
【請求項２】
前記係止手段は、前記折曲部分の内側に位置する前記胴材間を熱融着したことを特徴とする、請求項１に記載の包装容器。
【請求項３】
前記ノッチを形成した側と反対側の前記胴材は、前記ノッチを外側から視認できない不透明な材質を含む積層体からなることを特徴とする、請求項１または２に記載の包装容器。
【請求項４】
前記収容部は、前記ノッチを備えるヒートシール部を介して隔離された複数の収納部からなることを特徴とする、請求項１乃至３いずれかに記載の包装容器。
【発明の詳細な説明】
【技術分野】
【０００１】
本発明は、内容物を挟入する一対の胴材の周囲をヒートシールして内容物を収容する収容部を形成し、ヒートシールの一部に開封用のノッチを設けた包装容器に関し、より詳細には、胴材の一方であって、ヒートシールの一部に設けた未ヒートシール部分をノッチとし、胴材は、ノッチの形成部分を内側にし、折曲線を介して折曲させた折曲部分を備え、かつ折曲部分には係止手段を設け、包装容器の未開封時に外側からノッチを視認できなくするとともに開封時には折曲部分を展延してノッチを露出させるようにした折曲手段を備えた包装容器に関する。
【背景技術】
【０００２】
従来、醤油やマヨネーズなどの食品用調味料、歯磨粉やシャンプーなどの日用生活品またはハンドクリームなどの化粧品、あるいは顆粒や錠剤からなる胃腸薬などの医薬品は、周囲をヒートシールされた積層包装材からなる包装容器内に充填されており、消費者は、ヒートシールの一部分に形成されたノッチを起点に容器の一部を破断し、注出口を開口させて内容物を取り出すものがある。
【０００３】
例えば、特許文献１に示すように、ヒートシールされた上方シール部と下方シール部に囲まれて形成された注出口とからなり、上方シール部には、下向きに切り欠かれた第１の凹部と、この第１の凹部に隣接して上向きに張り出した摘み部が設けられ、注出口の未シール部の表面には、注出口の注出方向と略直交し、摘み部の下部から下方シール部に横断する、少なくとも３本の溝からなるハーフカット溝が設けられ、ハーフカット溝の３本の溝のうち、少なくとも下側の溝の２本の溝を切断するように、第１の凹部の下端から摘み部の下部に向かって、ハーフカット溝を横断する方向にノッチを設けることで、他の容器に移し替えて使用する際に、予定した切り取り方向に誘導され、容易にかつ確実に開封できる注出口付パウチ容器がある。
【０００４】
また、例えば、特許文献２に示すように、封着端および掴み補助部を有する包装容器の半片の間に包装物品を挿入し、半片を互いに接合し、一方の半片が比較的低い曲げ強度の材料から選択され、他方の半片が実質的に高い曲げ強度の材料から選択され、掴み補助部の開始領域に脆弱線を有するように設定されることで、平坦で感圧性の医薬品、特に経皮治療製剤のための、剥離可能な縁端封着袋に使用できるとともに、子どもによる望ましからざる使用に対する安全性を向上できるという。
【先行技術文献】
【特許文献】
【０００５】
【特許文献１】特開２０１１−１６２２１２号公報
【特許文献２】特表２００２−５０３１８７号公報
【発明の概要】
【発明が解決しようとする課題】
【０００６】
しかしながら、このような特許文献１〜２に記載の包装容器では、容器の開封を容易とするものの、容器が未開封状態においては、容器端部の一部分に形成された開封に必要なノッチが常時露出しているため、例えば、幼児を含む子どもなどがこのノッチを見つけ易く、悪戯や誤ってノッチを起点に容器の一部を破断してしまい、注出口を開口させたり、内容物を流出させてしまうという問題があった。
このため、本発明では、容器未開封状態において幼児を含む子どもなどにノッチの形成位置を分かり辛くし、容器を容易に開口できないチャイルドプルーフ機能を付し、安全性を向上させた包装容器を提供するものである。
【課題を解決するための手段】
【０００７】
このため、請求項１に記載の発明は、内容物を挟入する一対の胴材の周囲が接合されたヒートシールによって前記内容物を収容する収容部を形成し、前記ヒートシールの一部に開封用のノッチを設けた包装容器において、前記胴材の一方であって、前記ヒートシールの一部に設けた未ヒートシール部分を前記ノッチとし、前記胴材は、前記ノッチの形成部分と、前記ノッチを起点にして前記胴材が引き裂かれることで前記内容物の注出口が形成される注出部とを内側にし、折曲線を介して折曲させた折曲部分を備え、かつ前記折曲部分には係止手段を設け、前記包装容器の未開封時に外側から前記ノッチと、前記注出部とを視認できなくするとともに開封時には前記折曲部分を展延して前記ノッチと、前記注出部とを露出させるようにした折曲手段を備えたことを特徴とする。
【０００８】
請求項２に記載の発明は、請求項１に記載の包装容器において、前記係止手段は、前記折曲部分の内側に位置する前記胴材間を熱融着したことを特徴とする。
【０００９】
請求項３に記載の発明は、請求項１または２に記載の包装容器において、前記ノッチを形成した側と反対側の前記胴材は、前記ノッチを外側から視認できない不透明な材質を含む積層体からなることを特徴とする。
【００１０】
請求項４に記載の発明は、請求項１乃至３いずれかに記載の包装容器において、前記収容部は、前記ノッチを備えるヒートシール部を介して隔離された複数の収納部からなることを特徴とする。
【発明の効果】
【００１１】
請求項１に記載の発明によれば、内容物を挟入する一対の胴材の周囲が接合されたヒートシールによって内容物を収容する収容部を形成し、ヒートシールの一部に開封用のノッチを設けた包装容器において、胴材の一方であって、ヒートシールの一部に設けた未ヒートシール部分をノッチとし、胴材は、ノッチの形成部分と、ノッチを起点にして胴材が引き裂かれることで内容物の注出口が形成される注出部とを内側にし、折曲線を介して折曲させた折曲部分を備え、かつ折曲部分には係止手段を設け、包装容器の未開封時に外側からノッチと、注出部とを視認できなくするとともに開封時には折曲部分を展延してノッチと、注出部とを露出させるようにした折曲手段を備えたので、容器未開封状態において幼児を含む子どもなどにノッチの形成位置を見えないようにして分かり辛くし、悪戯や誤ってノッチを起点に容器の一部を破断し、注出口を開口させたり、内容物を流出させてしまうことを防ぐことができる。従って、安全性を向上させた包装容器を提供することができる。
【００１２】
請求項２に記載の発明によれば、係止手段は、折曲部分の内側に位置する胴材間を熱融着したので、折曲部分を折曲させた状態で容易に係止でき、ノッチの形成位置を外側から確実に視認できない状態にするとともに、開封時には容易に展延させることができる。従って、安全性および利便性を向上させた包装容器を提供することができる。
【００１３】
請求項３に記載の発明によれば、ノッチを形成した側と反対側の胴材は、ノッチを外側から視認できない不透明な材質を含む積層体からなるので、ノッチを内側にして胴材を折曲させた容器未開封状態において、ノッチは折曲部分の内側に隠れて、外側から容器を見ても不透明な胴材によりノッチを視認することができない。従って、安全性を向上させた包装容器を提供することができる。
【００１４】
請求項４に記載の発明によれば、収容部は、ノッチを備えるヒートシール部を介して隔離された複数の収納部からなるので、容器開封の際にノッチを引き裂くことにより、収納部を隔離していたヒートシール部が剥がれて収納部が連通し、内容物の注出時に、別々に収納されていた内容物を注出口で混合注出させることができる。また、注出させる際、容器を二つ折りにしてその押圧により内容物を容易に注出させることができる。従って、利便性を向上させた包装容器を提供することができる。
【図面の簡単な説明】
【００１５】
【図１】本発明の一例を示す、容器上部に折曲手段を備えた包装容器の正面図である。
【図２】図１における包装容器のＡ矢視側面図である。
【図３】ノッチ部分を含む容器上部の折曲を説明する折曲手段を備えた包装容器の斜視図である。
【図４】折曲部分を係止して、ノッチを外側から視認できない未開封状態を示す折曲手段を備えた包装容器の斜視図である。
【図５】容器開封の際、ノッチを引き裂いて注出口の形成を説明する折曲手段を備えた包装容器の正面図である。
【図６】注出口を下方に向けて内容物を注出させた使用例を示す折曲手段を備えた包装容器の正面図である。
【図７】容器中央部に折曲手段を備えた包装容器の正面図である。
【図８】図７における包装容器のＡ矢視側面図である。
【図９】ノッチ部分を含む容器中央部の折曲を説明する折曲手段を備えた包装容器の斜視図である。
【図１０】折曲部分を係止して、ノッチを外側から視認できない未開封状態を示す折曲手段を備えた包装容器の斜視図である。
【図１１】容器開封の際、ノッチを引き裂いて注出口の形成を説明する折曲手段を備えた包装容器の正面図である。
【図１２】注出口から内容物の注出を示す折曲手段を備えた包装容器の正面図である。
【図１３】収容部がノッチを備えるヒートシール部を介して隔離された複数の収納部からなる折曲手段を備えた包装容器の正面図である。
【発明を実施するための形態】
【００１６】
以下、図面を参照しつつ本発明を実施するための最良の形態について説明する。図１は
本発明の一例を示す、容器上部に折曲手段を備えた包装容器の正面図、図２は図１における包装容器のＡ矢視側面図、図３はノッチ部分を含む容器上部の折曲を説明する折曲手段を備えた包装容器の斜視図、図４は折曲部分を係止して、ノッチを外側から視認できない未開封状態を示す折曲手段を備えた包装容器の斜視図、図５は容器開封の際、ノッチを引き裂いて注出口の形成を説明する折曲手段を備えた包装容器の正面図、図６は注出口を下方に向けて内容物を注出させた使用例を示す折曲手段を備えた包装容器の正面図である。
【００１７】
本願発明の包装容器１は、内容物に、例えば、醤油やマヨネーズ、ケチャップなどの調味料やジェル状のゼリーなどを含む食品、歯磨粉などの練り状物やシャンプーなどの日用生活品、またはハンドクリームなどの化粧品、傷薬などの医薬品を例示するが、あらゆる物を収容することができる。
【００１８】
そして、図１〜２に示すように、本願包装容器１は、例えば、上端に傾斜辺を有する（傾斜に限定されず、また傾斜等の有無は不問）縦長の台形（正方形や長方形、三角形など限定しない、また傾斜辺などを有する場合には、上端に限定されず側端や下端にあってもよい。）を有する前後一対の胴材２の端部周囲および上部側端部（図例では左側端部の後述する注出部３）および後述するノッチ６の形成位置（未ヒートシール部分）を除く上部をヒートシールｈして、上部一端を上方へ向けて延設させた注出部３に連通する収容部４を形成し、この注出部３および収容部４内に上述したような内容物５が収容される。
【００１９】
また、ヒートシールｈした容器上部の一部であって、注出部３の側方などのヒートシールｈ部分（図例では中央部）の未ヒートシール部分には、注出部３に向けて横方向に、例えば指で掴める程度のノッチ６が形成されている。つまり、上記未ヒートシール部分をノッチ６とする。
【００２０】
また、胴材２は、周知のように、外側から内容物５を密封し接触する内側へ向けて順に、一軸延伸ポリプロピレン（ＯＰＰ）などのポリオレフィン組成物からなる周知の表面基材層（印刷基材層）、インキ層、接着層およびシーラント層などからなる積層体であってもよい。
【００２１】
表面基材層としての印刷基材層は、延伸ナイロンフィルム（ＯＮｙ）などを用いることができ、周知の印刷方法によって、内容表示または美感付与等の目的で設けられるものであり、適宜必要に応じて用いられる。通常、この印刷基材層は、表面基材層の下面側、すなわち包装容器１が作製された際に、表面基材層の内側（内容物５側）になるように形成される。
【００２２】
接着層は、周知のもので衛生的に支障のない、例えば二液硬化型ポリウレタン接着剤などを用いることができる。
【００２３】
シーラント層は、表面基材層下面（収容部４側の面）に接着剤を介して設けられ、包装容器１が作製された際には、内容物５に接触する最内層となる。このシーラント層としては、ポリエチレン（ＰＥ）や、低密度ポリエチレンフィルム、超低密度ポリエチレンフィルム、直鎖状低密度ポリエチレンフィルム、中密度ポリエチレンフィルム、高密度ポリエチレンフィルム（これらポリエチレンフィルムの略称をＰＥＦ）、ポリエチレンテレフタレートフィルム（ＰＥＴ）、無延伸ポリプロピレンフィルム、エチレン−酢酸ビニル共重合体フィルム、エチレン−アクリル酸共重合体フィルム、エチレン−メタクリル酸共重合体フィルム、エチレン−メチルアクリレート共重合体フィルム、エチレン−エチルアクリレート共重合体フィルム、エチレン−メチルメタクリレート共重合体フィルム、アイオノマーフィルムのうち、何れか一種以上のフィルムが使用され、単層シーラント層または多層シーラント層とすることができる。
【００２４】
なお、ノッチ６を形成しない側の胴材２（図例では後側の胴材）の材質は、外側から順に、ノッチ６が裏側方向より胴材２の外側から見えない程度の不透明な周知の合成樹脂（ポリプロピレンやポリエチレン、ナイロン、あるいはポリ塩化ビニルなどポリマーが結晶性で、ある程度結晶化度が高いもの）からなる表面基材層（印刷基材層）、インキ層、接着層およびシーラント層などからなる積層体から構成してもよい。
【００２５】
このような包装容器１に、折曲手段７として、図３〜４に示すように、ノッチ６を含む包装容器１の上部を、例えば収容部４の上端線ａ（限定しないが、収容部４を折曲させない位置が好ましい）を折曲線ａとして、この折曲線ａを境にノッチ６が内側（図例では包装容器１の上部を手前側に折り曲げる）になるように折り曲げ、この折曲させた上部を折曲部分８とする。なお、折曲線ａは、ハーフカットやミシン目または弱目線などを適宜形成することができる。
【００２６】
また、折曲部分８を上述のように折曲させた際、前側の胴材２の表面基材層同士であって、折曲部分８である容器上部の側端のヒートシールｈ部分と、収容部４側方の側端のヒートシールｈ部分との接触部分の任意の位置ｂを、係止手段９として比較的軽くピンポイントで熱融着させることにより、ノッチ６が容器外方から視認できない位置における折曲部分８を折り曲げた状態（容器未開封時）で胴材２の中央部に係止させることができる。
【００２７】
なお、折曲部分８の係止手段９は、上述した熱融着に限られず、接触両面に形成する凹凸形状や、あるいは接着剤、クリップなどの係止部材等適宜方法を用いてもよい。
【００２８】
ここで、包装容器１を開封して内容物５を注出させる方法を説明する。まず、上述したように、包装容器１の未開封状態では、折曲部分８が折り曲げられた状態で、係止手段９により胴材２中央部に係止されているため、外方からはこの折曲部分８を構成する後側の胴材２の上述した不透明な材質からなる表面基材層によりノッチ６を視認することができない。この状態において、幼児を含む子どもなどは、ノッチ６の形成位置が分からず、包装容器１を容易に開封させることはできない。
【００２９】
次いで、ユーザーは、指で点ｂの係止手段９である熱融着を引き離して係止状態を解除し、図３に示したように折曲部分８を、折曲線ａを中心にして上方向に展延させることで、ノッチ６を露出させる。
【００３０】
そして、図５に示すように、指などでノッチ６を起点にして延伸方向（横方向）に胴材２を引き裂くことで、注出部３を開口させて注出口１０を形成し、図６に示すように、この注出口１０から内容物５を注出させることができる。
【００３１】
このように、折曲手段７として、折曲線ａを境にノッチ６が内側になるように折り曲げた折曲部分８を、係止手段９で胴材２の中央部に係止することにより、容器未開封時に外側からはこの折曲部分８によりノッチ６を視認できないため、幼児を含む子どもなどにノッチ６の形成位置を分かり辛くし、悪戯や誤ってノッチ６を起点に容器の一部を破断し、注出口１０を開口させたり、内容物５を流出させてしまうことを防ぐことができる。
【００３２】
なお、折曲部分８の係止手段９に、図示しないクリップなどを用いた場合には、容器開封後、内容物５を収容部４内に残して注出を一時中止する際、再度折曲部分８を、注出口１０が内側になるように折り曲げ、上記クリップなどで折曲部分８を胴材２中央部に係止させることで、開口した注出口１０の露出を防ぎ、内容物を収容部４内に衛生的に収納させておくことができる。
【００３３】
胴材の折曲手段は、次のような構成にすることもできる。図７は容器中央部に折曲手段を備えた包装容器の正面図、図８は図７における包装容器のＡ矢視側面図、図９はノッチ部分を含む容器中央部の折曲を説明する折曲手段を備えた包装容器の斜視図、図１０は折曲部分を係止して、ノッチを外側から視認できない未開封状態を示す折曲手段を備えた包装容器の斜視図、図１１は容器開封の際、ノッチを引き裂いて注出口の形成を説明する折曲手段を備えた包装容器の正面図、図１２は注出口から内容物の注出を示す折曲手段を備えた包装容器の正面図である。
【００３４】
この場合、図７〜８に示すように、包装容器１´は、例えば、略楕円形状（長方形や正方形、三角形など限定しない）を有する前後一対の胴材２´の端部周囲および、中央部１１両端から内方に向けて互いに接触させない位置で略半円状（限定しない、四角形状や三角形状などであってもよい）に、後述する未ヒートシール部分のノッチ６´を除きヒートシールｈして形成した収容部４内に上述したような内容物５が収容されている。
【００３５】
従って、包装容器１´は、胴材２´における中央部１１両側に設けた略半円状のヒートシール部１６間に形成された狭い連通部１２を介して収容部４が備えられている。なお、両側部に有する略半円状のヒートシールｈは、上述の例に限定されず、胴材２´中央部１１の一側部のみから他側に向けて、連通部を形成する位置まで略半円状にヒートシールする構成にしてもよい。
【００３６】
そして、中央部１１における略半円状などのヒートシールｈの一側であって、包装容器１´の長手方向中心（後述する折曲線ａ）から外れた位置の未ヒートシール部分には、連通部１２に向けて、例えば指で摘み前側の胴材２´を引き裂き可能とする略Ｕ字形状のノッチ６´が形成されている。
【００３７】
なお、ノッチ６´を形成していない後側の胴材２´は、上述したように外側から前側の胴材２´が見えない程度の不透明な合成樹脂を積層させたポリプロピレンなどのポリオレフィン組成物からなる周知の表面基材層（印刷基材層）、インキ層、接着層およびシーラント層などからなる積層体から構成してもよい。
【００３８】
そして、この包装容器１´は、図９に示すように、ノッチ６´が形成された前側の胴材２´を内側になるようにして、折曲線ａを中心に図１０に示すように折曲させる。つまり、折曲線ａを境に重なり合う胴材２´がそれぞれ折曲部分８´となる。なお、折曲線ａは、上述同様にハーフカットやミシン目または弱目線などを適宜形成することができる。
【００３９】
なお、折曲させた包装容器１´は、図示しないが、上述同様に、折曲した内側面（前側の胴材２´のヒートシール部分）間に、熱融着やクリップなどの係止手段９を用いることができる。
【００４０】
ここで、包装容器１´を開封して内容物５を注出させる方法を説明する。まず、上述したように、包装容器１´の未開封状態において、ノッチ６´が形成された前側の胴材２´を内側にして容器を折曲させているため、ノッチ６´の形成部分が、後側の胴材２´の材質により外側からはこのノッチ６´を視認できない。この状態において、幼児を含む子どもなどは、ノッチ６´の形成位置が分からず、包装容器１´を容易に開封させることはできない。
【００４１】
次いで、ユーザーは、包装容器１´の折曲状態を維持させている係止手段９を上述同様に解除して、図９に示したように、折曲線ａを中心にして展延させることで、ノッチ６´を露出させる。
【００４２】
次いで、ノッチ６´を指で掴んで、図１１に示すように、連通部１２へ向けて他方側の略半円状ヒートシールｈ部分の端部近傍まで前側の胴材２´を延伸方向に沿って引き裂くことで、開口した連通部１２を内容物５の注出口１０´とする。
【００４３】
そして、図１２に示すように、注出口１０´を外側（後側の胴材２´が内側）になるようにして、折曲線ａを中心に包装容器１´を上述とは反対に折曲させ、指の押圧などで内容物５を注出口１０´から円滑に注出させることができる。
【００４４】
このように、包装容器１´を、折曲線ａを中心に折曲させることにより、未開封状態の容器のコンパクト化を図ることができるとともに、外側からはノッチ６´を視認できないため、幼児を含む子どもなどにノッチ６´の形成位置を分かり辛くし、悪戯や誤ってノッチ６´を起点に容器の一部を破断し、注出口１０´を開口させたり、内容物５を流出させてしまうことを防ぐことができる。
【００４５】
さらに、折曲手段を有する包装容器は、次のような構成にすることもできる。図１３は収容部がノッチを備えるヒートシール部を介して隔離された複数の収納部からなる折曲手段を備えた包装容器の正面図である
【００４６】
この場合、図１３に示すように、包装容器１´´は、上述の例同様に、略楕円形状などを有する前後一対の胴材２´の端部周囲および、中央部１１両端から内方に向けて互いに接触させて略半円状（限定しない、四角形状や三角形状などであってもよい）にヒートシール部１８を設け、略半円状の交点であるヒートシール部１８を介してそれぞれ隔離形成された２つ（複数）の収納部４ａ，４ｂからなる収容部４´内に、異なる種類の内容物５を収容させることもできる。
【００４７】
また、中央部１１における略半円状などのヒートシールｈの一側であって、包装容器１´´の長手方向中心（後述する折曲線ａ）から外れた位置には、ヒートシール部１８に向けて、例えば指で摘み前側の胴材２´を引き裂き可能とする略Ｕ字形状のノッチ６´が形成されている。
【００４８】
このような包装容器１´´を上述同様に折曲線ａを中心にノッチ６´を内にして折曲させ、係止手段９を用いて胴材２´の折曲状態を係止し、未開封状態とする。
【００４９】
そして、包装容器１´´を開封して内容物５を注出させるには、まず、上述したように、包装容器１´´の未開封状態では、内側に折曲されたノッチ６´を外側から視認できない。この状態において、幼児を含む子どもなどは、ノッチ６´の形成位置が分からず、包装容器１´を容易に開封させることはできない。
【００５０】
次いで、ユーザーは、係止手段９による胴材２´の折曲状態を解除し、露出させたノッチ６´を指で掴んで、図１１同様にヒートシール部１８に向け延伸方向に沿って引き裂くことで、前側の胴材２´を破断させるとともに、収納部４ａ，４ｂを隔離していたヒートシール部１８を破壊して収容部４´における収納部４ａ，４ｂを連通させ、この連通部分を内容物５の注出口１０´´とする。
【００５１】
そして、図１２同様に、注出口１０´´を外側（後側の胴材２´が内側）になるようにして、折曲線ａを中心に包装容器１´を上述とは反対に折曲させ、指の押圧などでそれぞれ異なる内容物５を収納部４ａ，４ｂの連通させた部分で混合させながら注出口１０´´から注出させることができる。
【００５２】
このように、包装容器１´´を、折曲線ａを中心に折曲させることにより、未開封状態の容器のコンパクト化を図ることができるとともに、外側からはノッチ６´を視認できないため、幼児を含む子どもなどにノッチ６´の形成位置を分かり辛くし、悪戯や誤ってノッチ６´を起点に容器の一部を破断し、注出口１０´´を開口させたり、内容物５を流出させてしまうことを防ぐことができる。
【００５３】
さらに、この例では、異なる種類の内容物５を混合させることなく各収納部４ａ，４ｂに別個に収納させて未開封状態としておくことができ、使用時に各内容物を混合させた状態で注出させたい場合などには、包装容器１´´の開封とともに、注出口１０´´で両者を混合させながら注出させることができる。
【００５４】
また、上述した包装容器１，１´，１´´は、平パウチを例に説明したが、本発明はこれに限定されず、図示しない胴材およびボトム材をヒートシールして形成した周知の船底型スタンディングパウチなどにも適用することができる。
【００５５】
以上詳述したように、本願発明の包装容器１，１´，１´´は、内容物５を挟入する一対の胴材２，２´の周囲をヒートシールｈして内容物５を収容する収容部４，４´を形成し、ヒートシールｈの一部に開封用のノッチ６，６´を設け、胴材２，２´の一方であって、ヒートシールｈの一部に設けた未ヒートシール部分をノッチ６，６´とし、胴材２，２´は、ノッチ６，６´の形成部分を内側にし、折曲線ａを介して折曲させた折曲部分８，８´を備え、かつ折曲部分８，８´には係止手段９を設け、包装容器１，１´，１´´の未開封時に外側からノッチ６，６´を視認できなくするとともに開封時には折曲部分８を展延してノッチ６，６´を露出させるようにした折曲手段７を備えたものである。
【産業上の利用可能性】
【００５６】
本発明の包装容器は、内容物に、例えば、醤油やマヨネーズ、ケチャップなどの調味料を含む食品、歯磨粉などの練り状物やシャンプーなどの日用生活品またはハンドクリームなどの化粧品、あるいは顆粒や錠剤からなる胃腸薬などの医薬品などを収容した、あらゆるパウチに有用である。
【符号の説明】
【００５７】
１    包装容器
２    胴材
３    注出部
４    収容部
４ａ，４ｂ    収納部
５    内容物
６    ノッチ
７    折曲手段
８    折曲部分
９    係止手段
１０    注出口
１１    中央部
１２    連通部
１６    ヒートシール部
ａ    折曲線
ｈ    ヒートシール
【図１】
0005942487.tif 000002
【図２】
0005942487.tif 000003
【図３】
0005942487.tif 000004
【図４】
0005942487.tif 000005
【図５】
0005942487.tif 000006
【図６】
0005942487.tif 000007
【図７】
0005942487.tif 000008
【図８】
0005942487.tif 000009
【図９】
0005942487.tif 000010
【図１０】
0005942487.tif 000011
【図１１】
0005942487.tif 000012
【図１２】
0005942487.tif 000013
【図１３】
0005942487.tif 000014